(57)【特許請求の範囲】
【請求項１】
絶縁操作棒の先端にネジ軸が同方向に延長して固設され、前記ネジ軸の先端にはカットアウトのヒューズリンクに突き当てるストッパが固設され、前記ネジ軸の外周にナット部材が回転自在に螺合され、前記ナット部材には前記ヒューズリンクに設けられている複数の爪孔に挿入する複数本の挿入爪が前記ストッパの横を越えて突設されていることを特徴とするカットアウト操作工具。
【請求項２】
変圧器には、その側面からブッシングが突設され、該ブッシングの先端からその内部にヒューズリンクがその基端を前記ブッシングの外に露出させるようにして差し込まれてセットされ、前記ブッシングの外に露出している前記ヒューズリンクに複数の爪孔が開けられているカットアウトが設けられており、
該カットアウトを昇降手段上で操作するカットアウト操作工具として、絶縁操作棒の先端にネジ軸が同方向に延長して固設され、前記ネジ軸の先端には前記カットアウトの前記ヒューズリンクに突き当てるストッパが固設され、前記ネジ軸の外周にナット部材が回転自在に螺合され、前記ナット部材には前記ヒューズリンクに設けられている複数の前記爪孔に挿入する複数本の挿入爪が前記ストッパの横を越えて突設されている構造のものを用い、
前記昇降手段上で前記カットアウト操作工具の前記各挿入爪を前記ヒューズリンクに設けられている複数の前記爪孔に挿入し、
かかる状態で前記絶縁操作棒をその軸線の回りに相対的に回転することにより前記ネジ軸を一緒に回転して前記ヒューズリンクで回り止めされている前記ナット部材と前記各挿入爪を前記絶縁操作棒に接近させる方向に動かして前記各挿入爪と前記ストッパとで前記ヒューズリンクを固定し、
しかる後、前記絶縁操作棒を引いて前記ヒューズリンクを前記ブッシングから引き抜くことを特徴とするカットアウト操作工具の操作方法。
【請求項３】
変圧器には、その側面からブッシングが突設され、該ブッシングの先端からその内部にヒューズリンクがその基端を前記ブッシングの外に露出させるようにして差し込まれてセットされ、前記ブッシングの外に露出している前記ヒューズリンクに複数の爪孔が開けられているカットアウトが設けられており、
昇降手段上で前記ヒューズリンクを前記ブッシングに差し込む際のカットアウト操作工具として、絶縁操作棒の先端にネジ軸が同方向に延長して固設され、前記ネジ軸の先端には前記カットアウトの前記ヒューズリンクに突き当てるストッパが固設され、前記ネジ軸の外周にナット部材が回転自在に螺合され、前記ナット部材には前記ヒューズリンクに設けられている複数の前記爪孔に挿入する複数本の挿入爪が前記ストッパの横を越えて突設されている構造のものを用い、
前記昇降手段上で前記カットアウト操作工具の前記各挿入爪を前記ヒューズリンクに設けられている複数の前記爪孔に挿入し、
かかる状態で前記ヒューズリンクに対して前記絶縁操作棒をその軸線の回りに相対的に回転することにより前記ネジ軸を一緒に回転して前記ヒューズリンクで回り止めされている前記ナット部材と前記各挿入爪を前記絶縁操作棒に接近させる方向に動かして前記各挿入爪と前記ストッパとで前記ヒューズリンクを固定し、
しかる後、前記絶縁操作棒を介して前記ヒューズリンクを前記ブッシングに挿入してセットし、
次に、前記絶縁操作棒を前記回転方向とは逆の方向に回して前記ナット部材と前記各挿入爪を前記絶縁操作棒から離れる方向に動かして前記各挿入爪と前記ストッパとによる前記ヒューズリンクの固定を解除し、
次いで、前記各挿入爪を前記ヒューズリンクに設けられている複数の前記爪孔から抜くことを特徴とするカットアウト操作工具の操作方法。
【発明の詳細な説明】
【０００１】
【発明の属する技術分野】
本発明は、変圧器に突設されたブッシング内に差し込まれたカットアウトをバケット車等の昇降手段を利用して操作するのに好適なカットアウト操作工具に関するものである。
【０００２】
【従来の技術】
従来、図５に示すように、電柱１上に支持された変圧器２に隣接させて、カットアウト３、避雷器４、真空開閉器５を図示のように配置した構造であった。
【０００３】
しかしながら、このような構造では、電柱１上で装柱機材が輻輳し、美観及び装柱作業性が悪い問題点があった。
【０００４】
そこで、これらカットアウト３、避雷器４、真空開閉器５等の装柱機材を、図６に示すように、変圧器２内に組み込んだものが提案されている。この変圧器２では、その側面からカットアウト３を外部に突出させている。
【０００５】
このように装柱機材を組み込んだ図６に示す変圧器２によれば、電柱１上の外観がシンプルになり、また装柱作業性を向上させる利点がある。
【０００６】
【発明が解決しようとする課題】
しかしながら、このように装柱機材を組み込んだ図６に示す変圧器２では、変圧器側面のカットアウト３の操作は従来の絶縁操作棒ではできない問題点があった。
【０００７】
本発明の目的は、変圧器側面に突設されたカットアウトの操作を昇降手段を利用して容易に安全に行うことができるカットアウト操作工具を提供することにある。
【０００８】
本発明の他の目的は、変圧器側面に突設されたカットアウトの操作を昇降手段を利用して容易に安全に行うことができるカットアウト操作工具の操作方法を提供することにある。
【０００９】
【課題を解決するための手段】
本発明に係るカットアウト操作工具は、絶縁操作棒の先端にネジ軸が同方向に延長して固設され、ネジ軸の先端にはカットアウトのヒューズリンクに突き当てるストッパが固設され、ネジ軸の外周にナット部材が回転自在に螺合され、ナット部材にはヒューズリンクに設けられている複数の爪孔に挿入する複数本の挿入爪がストッパの横を越えて突設されていることを特徴とする。
【００１０】
このようなカットアウト操作工具によれば、各挿入爪をヒューズリンクに設けられている複数の爪孔に挿入し、かかる状態で絶縁操作棒をその軸線の回りに相対的に回転することによりネジ軸を一緒に回転してヒューズリンクで回り止めされているナット部材と各挿入爪を絶縁操作棒に接近させる方向に動かして各挿入爪とストッパとでヒューズリンクを固定した状態にすることにより、絶縁操作棒を引けばヒューズリンクをブッシングから引き抜くことができ、絶縁操作棒を押し出せばヒューズリンクをブッシングに挿入することができる。このため変圧器側面に突設されたカットアウトの操作を、昇降手段上でこのカットアウト操作工具を用いることにより容易に安全に行うことができる。
【００１１】
本発明に係るカットアウト操作工具の操作方法では、前述した構造のカットアウト操作工具を用い、
昇降手段上でカットアウト操作工具の各挿入爪をヒューズリンクに設けられている複数の爪孔に挿入し、
かかる状態で絶縁操作棒をその軸線の回りに相対的に回転することによりネジ軸を一緒に回転してヒューズリンクで回り止めされているナット部材と各挿入爪を絶縁操作棒に接近させる方向に動かして各挿入爪とストッパとでヒューズリンクを固定し、
しかる後に絶縁操作棒を引いてヒューズリンクをブッシングから引き抜くことを特徴とする。
【００１２】
また、本発明に係るカットアウト操作工具の操作方法では、前述した構造のカットアウト操作工具を用い、
各挿入爪をヒューズリンクに設けられている複数の爪孔に挿入し、
ヒューズリンクに対して絶縁操作棒をその軸線の回りに相対的に回転することによりネジ軸を一緒に回転してヒューズリンクで回り止めされているナット部材と各挿入爪を絶縁操作棒に接近させる方向に動かして各挿入爪とストッパとでヒューズリンクを固定し、
しかる後、絶縁操作棒を介してヒューズリンクをブッシングに挿入してセットし、
次に、絶縁操作棒を前記回転方向とは逆の方向に回してナット部材と各挿入爪を絶縁操作棒から離れる方向に動かして各挿入爪とストッパとによるヒューズリンクの固定を解除し、
各挿入爪をヒューズリンクに設けられている複数の爪孔から抜くことを特徴とする。
【００１３】
このようなカットアウト操作工具の操作方法によれば、絶縁操作棒の先端のネジ軸、ストッパ、ナット部材及び挿入爪を用いてヒューズリンクを把持することにより、ブッシングからのヒューズリンクの引き抜き、ブッシングへのヒューズリンクの挿入を安全に行うことができる。このため変圧器側面に突設されたカットアウトの操作を、このカットアウト操作工具を用いて昇降手段上で容易に安全に行うことができる。
【００１４】
【発明の実施の形態】
図１乃至図４（Ａ）〜（Ｃ）は本発明に係るカットアウト操作工具及びその操作方法の実施の形態の一例を示したもので、図１は本例のカットアウト操作工具の側面図、図２は図１に示すカットアウト操作工具のヘッド部の構成を示す斜視図、図３は本例のカットアウト操作工具を用いて昇降手段上でカットアウトを操作している状況を示す側面図、図４（Ａ）〜（Ｃ）は本例のカットアウト操作工具を用いたカットアウトの引き抜き操作工程の説明図である。
【００１５】
本例のカットアウト操作工具６は、図１及び図２に示すように、ＦＲＰパイプ等よりなる絶縁操作棒７を用いる。この絶縁操作棒７は継手部８で所要長さに接続されている。この絶縁操作棒７の外周には、雨切りつば９と安全つば１０とが上下に位置を違えて取付けられている。
【００１６】
絶縁操作棒７の先端には、金具１１を介してネジ軸１２が絶縁操作棒７と同方向に延長して固設されている。ネジ軸１２の先端には、カットアウト３のヒューズリンク１４の基端に突き当てるストッパ１５が固設されている。ヒューズリンク１４には、その長手方向の途中にヒューズ１３が組み込まれている。ネジ軸１２の外周には、ナット部材１６が回転自在に螺合されている。ナット部材１６には、ヒューズリンク１４に設けられている複数（本例では、２つ）の爪孔１７に挿入する複数本（本例では、２本）の挿入爪１８がストッパ１５の横を越えて突設されている。各挿入爪１８の先端は、絶縁操作棒７の長さ方向に対して直交する向きに曲げられている。
【００１７】
カットアウト３は、ブッシング１９の先端からその内部にヒューズリンク１４が差し込まれてセットされるようになっている。ブッシング１９内にセットされたヒューズリンク１４は、回り止めされるようになっている。図示しないがヒューズ１３が切断されると、ヒューズリンク１４の図示しない軸心の孔から表示物が突出するようになっている。
【００１８】
次に、このようなカットアウト操作工具６を用いて、バケット車の昇降アーム等の昇降手段２０の頂部に設けられたバケット２１上で作業者２２が操作する動作について、図４（Ａ）〜（Ｃ）を参照して説明する。
【００１９】
まず、カットアウト３のブッシング１９からヒューズリンク１４を引き抜く操作について説明する。
【００２０】
昇降手段２０の頂部に設けられたバケット２１上に位置する作業者２２が、このカットアウト操作工具６を持って、その先端の各挿入爪１８を図４（Ａ）に示すヒューズリンク１４に設けられている複数の爪孔１７に、図４（Ｂ）に示すように挿入する。
【００２１】
かかる状態で、図４（Ｂ）に示すように絶縁操作棒７をその軸線の回りに矢印で示すように一方向に回転すると、ネジ軸１２も一緒に同方向に回転して、ヒューズリンク１４で回り止めされているナット部材１６と各挿入爪１８を絶縁操作棒７に接近させる方向に動かし、各挿入爪１８とストッパ１５とでヒューズリンク１４を固定する。
【００２２】
しかる後に、絶縁操作棒１７を手前側に引いてヒューズリンク１４をブッシング１９から引き抜く。
【００２３】
次に、カットアウト３のブッシング１９にヒューズリンク１４を挿入する操作について説明する。
【００２４】
昇降手段２０の頂部に設けられたバケット２１上に位置する作業者２２が、このカットアウト操作工具６を持って、各挿入爪１８をヒューズリンク１４に設けられている複数の爪孔１７に挿入し、ヒューズリンク１４に対して絶縁操作棒７をその軸線の回りに相対的に回転することによりネジ軸１２を一緒に回転してヒューズリンク１４で回り止めされているナット部材１６と各挿入爪１８を絶縁操作棒７に接近させる方向に動かして各挿入爪１８とストッパ１５とでヒューズリンク１４を固定する。
【００２５】
しかる後、絶縁操作棒７を介してヒューズリンク１４をブッシング１９に挿入してセットする。
【００２６】
次に、図４（Ｃ）に示すように、絶縁操作棒７を前回の回転方向とは逆の矢印方向に回してナット部材１６と各挿入爪１８を絶縁操作棒７から離れる方向に動かして各挿入爪１８とストッパ１５とによるヒューズリンク１４の固定を解除する。
【００２７】
かかる状態で、各挿入爪１８を図４（Ｃ）で太い矢印で示す方向に上げてヒューズリンク１４に設けられている複数の爪孔１７から抜く。
【００２８】
上記のようなカットアウト操作工具６によれば、各挿入爪１８をヒューズリンク１４に設けられている複数の爪孔１７に挿入し、かかる状態で絶縁操作棒７をその軸線の回りに回転することによりネジ軸１２を一緒に回転してヒューズリンク１４で回り止めされているナット部材１６と各挿入爪１８を絶縁操作棒７に接近させる方向に動かして各挿入爪１８とストッパ１５とでヒューズリンク１４を固定した状態にすることにより、絶縁操作棒７を引けばヒューズリンク１４をブッシング１９から引き抜くことができ、絶縁操作棒７を押し出せばヒューズリンク１４をブッシング１９に挿入することができる。
【００２９】
また、上記のようなカットアウト操作工具６の操作方法によれば、絶縁操作棒７の先端のネジ軸１２、ストッパ１５、ナット部材１６及び挿入爪１８を用いてヒューズリンク１４を把持することにより、ブッシング１９からのヒューズリンク１４の引き抜き、ブッシング１９へのヒューズリンク１４の挿入を安全に行うことができる。
【００３０】
なお、挿入爪１８は２本に限らず、３本以上であってもよい。
【００３１】
【発明の効果】
本発明に係るカットアウト操作工具は、各挿入爪をヒューズリンクに設けられている複数の爪孔に挿入し、かかる状態で絶縁操作棒をその軸線の回りに回転することによりネジ軸を一緒に回転してヒューズリンクで回り止めされているナット部材と各挿入爪を絶縁操作棒に接近させる方向に動かして各挿入爪とストッパとでヒューズリンクを固定した状態にすることにより、絶縁操作棒を引けばヒューズリンクをブッシングから引き抜くことができ、絶縁操作棒を押し出せばヒューズリンクをブッシングに挿入することができる。このため変圧器側面に突設されたカットアウトの操作を、昇降手段上でこのカットアウト操作工具を用いることにより容易に安全に行うことができる。
【００３２】
本発明に係るカットアウト操作工具の操作方法では、絶縁操作棒の先端のネジ軸、ストッパ、ナット部材及び挿入爪を用いてヒューズリンクを把持することにより、ブッシングからのヒューズリンクの引き抜き、ブッシングへのヒューズリンクの挿入を安全に行うことができる。このため変圧器側面に突設されたカットアウトの操作を、このカットアウト操作工具を用いて昇降手段上で容易に安全に行うことができる。
【図面の簡単な説明】
【図１】本発明に係るカットアウト操作工具の側面図である。
【図２】図１に示すカットアウト操作工具のヘッド部の構成を示す斜視図である。
【図３】本例のカットアウト操作工具を用いて昇降手段上でカットアウトを操作している状況を示す側面図である。
【図４】（Ａ）〜（Ｃ）は本例のカットアウト操作工具を用いたカットアウトの引き抜き操作工程の説明図である。
【図５】従来の変圧器等の電柱への装柱状態を示す斜視図である。
【図６】装柱機材を組み込んだ変圧器の装柱状態を示す側面図である。
【符号の説明】
１  電柱
２  変圧器
３  カットアウト
４  避雷器
５  真空開閉器
６  カットアウト操作工具
７  絶縁操作棒
８  継手部
９  雨切りつば
１０  安全つば
１１  金具
１２  ネジ軸
１３  ヒューズ
１４  ヒューズリンク
１５  ストッパ
１６  ナット部材
１７  爪孔
１８  挿入爪
１９  ブッシング
２０  昇降手段
２１  バケット
２２  作業者
【図１】
0004509432.tif 000002
【図２】
0004509432.tif 000003
【図３】
0004509432.tif 000004
【図４】
0004509432.tif 000005
【図５】
0004509432.tif 000006
【図６】
0004509432.tif 000007